(57)【特許請求の範囲】
【請求項１】
合成樹脂製のバンド取付部材と、
このバンド取付部材に連結されるバンド本体と、
前記バンド取付部材をケースに固定するための第１のピンと、
前記バンド本体を前記バンド取付部材に取り付けるための第２のピンと、
前記バンド取付部材に設けられ、前記第１のピンおよび前記第２のピンがそれぞれ挿通する第１の挿通部および第２の挿通部が形成された金属製の固定部材と、
を備え、
前記固定部材は本体部を備え、前記第１の挿通部は前記本体部の一側に一体に形成されて前記第１のピンが挿入する一対の第１円筒部であり、前記第２の挿通部は前記本体部の他側に一体に形成されて前記第２のピンが挿入する一対の第２円筒部であることを特徴とするバンド。
【請求項２】
合成樹脂製のバンド取付部材と、
このバンド取付部材に連結されるバンド本体と、
前記バンド取付部材をケースに固定するための第１のピンと、
前記バンド本体を前記バンド取付部材に取り付けるための第２のピンと、
前記バンド取付部材に設けられ、前記第１のピンおよび前記第２のピンがそれぞれ挿通する第１の挿通部および第２の挿通部が形成された金属製の固定部材と、
を備え、
前記バンド取付部材には、前記固定部材が着脱可能に装着する装着凹部が設けられていることを特徴とするバンド。
【請求項３】
請求項１に記載のバンドにおいて、前記バンド取付部材には、前記固定部材が着脱可能に装着する装着凹部が設けられていることを特徴とするバンド。
【請求項４】
請求項３に記載のバンドにおいて、前記バンド取付部材には、前記固定部材が前記装着凹部に装着された際に、前記第１の挿通部である前記一対の第１円筒部間に配置され、この状態で前記第１のピンが挿入して取り付けられる連結突起部と、前記バンド本体の先端部を挿入させて前記装着凹部内に突出させるためのバンド挿入孔とが形成されていることを特徴とするバンド。
【請求項５】
請求項４に記載のバンドにおいて、前記バンド本体の前記先端部には、前記バンド取付部材の前記バンド挿入孔から挿入して前記装着凹部内に突出した際に、前記第２の挿通部である前記一対の第２円筒部間に配置され、この状態で前記第２のピンが挿入して取り付けられるバンド連結部が設けられていることを特徴とするバンド。
【請求項６】
請求項１又は請求項３〜請求項５のいずれかに記載のバンドにおいて、前記ケースには、前記第１の挿通部である前記一対の第１円筒部の両側に配置され、この状態で前記第１のピンの両端部がそれぞれ挿入して取り付けられるケース側取付部が設けられていることを特徴とするバンド。
【請求項７】
請求項１〜６のいずれかに記載されたバンドを備えたことを特徴とする腕時計。
【発明の詳細な説明】
【技術分野】
【０００１】
この発明は、腕時計に用いられるバンドおよびそのバンドを備えた腕時計に関する。
【背景技術】
【０００２】
例えば、腕時計においては、特許文献１に記載されているように、腕時計ケースの下面に設けられた裏蓋側からの衝撃を和らげるために、腕時計ケースの両側に軟質合成樹脂製のバンド取付部材を裏蓋よりも下側に突出させた状態でそれぞれ取り付け、このバンド取付部材によって落下などによる衝撃を緩衝するように構成されたものが知られている。
【先行技術文献】
【特許文献】
【０００３】
【特許文献１】特開平９−１２１９１０号公報
【０００４】
このような腕時計に用いられるバンドは、合成皮革などの合成樹脂バンド本体や、繊維かなる繊維状バンド本体などからなり、腕時計ケースの両側に取り付けられたバンド取付部材のうち、一方のバンド取付部材のバンド挿通孔から裏蓋の下側を経て他方のバンド取付部材のバンド挿通孔に挿入させることにより、腕時計ケースに取り付けられるように構成されている。
【発明の概要】
【発明が解決しようとする課題】
【０００５】
しかしながら、このようなバンドの取付構造では、腕時計ケースの裏蓋の下にバンド本体が配置されているため、腕時計ケースを腕に取り付けた際に、腕時計ケースがバンド本体によって浮き上がってしまい、腕時計ケースが腕にフィットしないばかりか、デザイン的に好ましくないなどの問題がある。
【０００６】
そこで、このような問題を解消するため、バンド本体を２つに分け、この２つに分割された各バンド本体を腕時計ケースのバンド取付部材にそれぞれピン部材によって取り付けることが検討されているが、このようなバンドの取付構造では、バンド取付部材が軟質の合成樹脂で形成されているため、バンド本体が強く引っ張られると、ピン部材がバンド取付部材から外れてしまうという問題がある。
【０００７】
この発明が解決しようとする課題は、耐衝撃性を確保し、且つケースに対してバンド本体を強固に取り付けることができるバンドおよび腕時計を提供することである。
【課題を解決するための手段】
【０００８】
この発明は、合成樹脂製のバンド取付部材と、このバンド取付部材に連結されるバンド本体と、前記バンド取付部材をケースに固定するための第１のピンと、前記バンド本体を前記バンド取付部材に取り付けるための第２のピンと、前記バンド取付部材に設けられ、前記第１のピンおよび前記第２のピンがそれぞれ挿通する第１の挿通部および第２の挿通部が形成された金属製の固定部材と、を備え、前記固定部材は本体部を備え、前記第１の挿通部は前記本体部の一側に一体に形成されて前記第１のピンが挿入する一対の第１円筒部であり、前記第２の挿通部は前記本体部の他側に一体に形成されて前記第２のピンが挿入する一対の第２円筒部であることを特徴とするバンドである。
【発明の効果】
【０００９】
この発明によれば、ケースに取り付けられた合成樹脂製のバンド取付部材によってケースに対する耐衝撃性を確保することができ、またバンド取付部材を合成樹脂で形成しても、バンド取付部材に設けられた金属製の固定部材にケースを第１のピンによって強固に連結することができると共に、金属製の固定部材にバンド本体を第２のピンによって強固に連結することができるので、ケースに対してバンド本体を強固に取り付けることができる。
【図面の簡単な説明】
【００１０】
【図１】この発明のバンドを腕時計に適用した一実施形態を示した拡大正面図である。
【図２】図１に示された腕時計のＡ−Ａ矢視における拡大断面図である。
【図３】図１に示された腕時計の時計バンドを示し、（ａ）はその時計バンドの要部を示した拡大正面図、（ｂ）はその拡大裏面図である。
【図４】図３に示された時計バンドの要部を示し、（ａ）はその要部を斜め上方から見た拡大斜視図、（ｂ）はその要部を斜め下方から見た拡大斜視図である。
【図５】図４に示された時計バンドの要部を分解して示し、（ａ）は図４（ａ）の状態における要部の分解斜視図、（ｂ）は図４（ｂ）の状態における要部の分解斜視図である。
【図６】図３（ｂ）に示された時計バンドの各断面を示し、（ａ）はそのＢ−Ｂ矢視における拡大断面図、（ｂ）そのＣ−Ｃ矢視における拡大断面図、（ｃ）はそのＤ−Ｄ矢視における拡大断面図である。
【発明を実施するための形態】
【００１１】
以下、図１〜図６を参照して、この発明を腕時計に適用した一実施形態について説明する。
この腕時計は、図１および図２に示すように、腕時計ケース１を備えている。この腕時計ケース１は、硬質の合成樹脂からなるケース本体２と、このケース本体２の外周面に設けられた軟質の合成樹脂からなるベゼル３とを備えている。
【００１２】
この場合、ケース本体２の上部には、図１および図２に示すように、時計ガラス４が設けられており、このケース本体２の下部には、裏蓋５が取り付けられている。また、このケース本体２の内部には、時計モジュール６が配置されている。さらに、このケース本体２の３時側および９時側に位置する側面には、図１に示すように、押釦スイッチ７がベゼル３の外部に露出した状態で設けられている。
【００１３】
また、このケース本体２の６時側に位置する側面には、図１および図２に示すように、上面スイッチ８がベゼル３から斜め上方に向けて露出した状態で設けられている。さらに、このケース本体２の１２時側と６時側とに位置する各側面には、ケース側取付部１０が斜め下側に向けて突出した状態で設けられている。
【００１４】
この場合、ケース側取付部１０は、図１〜図３に示すように、時計バンド１１の端部を腕時計ケース１に取り付けるためのものであり、ケース本体２の側面から斜め下側に向けて突出する一対の突起部１０ａを有し、この一対の突起部１０ａ間に時計バンド１１の端部が配置されて取り付けられるように構成されている。
【００１５】
時計バンド１１は、図１〜図６に示すように、合成樹脂製のバンド取付駒１２と、このバンド取付駒１２に連結されるバンド本体１３と、バンド取付駒１２を腕時計ケース１のケース本体２に固定するための第１ピン１４と、バンド本体１３をバンド取付駒１２に取り付けるための第２ピン１５と、バンド取付駒１２に設けられ、第１ピン１４および第２ピン１５がそれぞれ挿通する第１挿通部１６および第２挿通部１７が形成された金属製の固定部材１８とを備えている。
【００１６】
バンド取付駒１２は、ウレタン樹脂などの軟質の合成樹脂からなり、図１〜図４に示すように、バンド本体１３の長手方向と直交する幅方向の長さが腕時計ケース１のケース側取付部１０における幅方向（図３（ａ）では上下方向）の長さとほぼ同じ長さに形成され、その厚みがケース側取付部１０の厚みよりも少し厚く形成され、この状態で全体が横長のほぼ直方体形状に形成されている。
【００１７】
この場合、バンド取付駒１２の先端部（図３（ａ）では左端部）には、図３〜図５に示すように、ケース側取付部１０の一対の突起部１０ａ間に挿入する連結突起部１９がバンド本体１３の長手方向に沿う方向に突出して形成されている。この連結突起部１９は、バンド本体１３の長手方向と直交する幅方向の長さがバンド取付駒１２の幅方向の長さよりも短く、その厚みがバンド取付駒１２の厚みよりも薄く形成されている。
【００１８】
固定部材１８は、ステンレスなどの金属板からなり、図５および図６に示すように、バンド取付駒１２の連結突起部１９よりも長く、且つバンド取付駒１２の幅方向の長さよりも短い長方形の平板状に形成された本体板部１８ａを有し、この本体板部１８ａの一側部（図５（ａ）では左側）に第１ピン１４が挿入する第１挿通部１６が一体に形成され、本体板部１８ａの他側部（図５（ａ）では右側）に第２ピン１５が挿入する第２挿通部１７が一体に形成された構成になっている。
【００１９】
この場合、第１挿通部１６は、図５および図６に示すように、本体板部１８ａの一側部（図５（ａ）では左側）からそれぞれ延出された一対のアーム部１６ｂと、この一対のアーム部１６ｂを円筒状に折り曲げた一対の第１円筒部１６ａとを有している。この第１挿通部１６は、バンド取付駒１２の先端部に形成された連結突起部１９の両端部に対応する箇所に、バンド取付駒１２の連結突起部１９と同じ方向に向けて突出した状態で形成されている。
【００２０】
また、第２挿通部１７は、図５および図６に示すように、本体板部１８ａの他側部（図５（ａ）では右側）からそれぞれ延出された一対のアーム部１７ｂと、この一対のアーム部１７ｂを円筒状に折り曲げた一対の第２円筒部１７ａとを有している。この第２挿通部１７は、一対の第１円筒部１６ａの間隔よりも広い間隔で、本体板部１８ａの両端部に位置する箇所に、一対の第１円筒部１６ａと反対方向に向けて突出した状態で形成されている。
【００２１】
一方、バンド取付駒１２には、図４〜図６に示すように、固定部材１８が着脱可能に装着する装着凹部２０が下側に開放された状態で設けられている。この装着凹部２０は、固定部材１８の本体板部１８ａと第２挿通部１７とが装着する第１装着部２０ａと、固定部材１８の第１挿通部１６である一対の第１円筒部１６ａの各アーム部１６ｂがそれぞれ装着する第２装着部２０ｂとを有している。
【００２２】
この場合、第１装着部２０ａは、図４〜図６に示すように、本体板部１８ａと第２挿通部１７とが対応する範囲、つまり第２挿通部１７である一対の第２円筒部１７ａ間に位置する箇所を含む範囲の部分である。また、第２装着部２０ｂは、第１挿通部１６である一対の第１円筒部１６ａの各アーム部１６ｂが配置する箇所である。
【００２３】
このため、一対の第１円筒部１６ａは、図３および図４に示すように、装着凹部２０から突出してバンド取付駒１２の連結突起部１９の両端部に配置されるように構成されている。この連結突起部１９には、固定部材１８が装着凹部２０に装着されて、第１挿通部１６である一対の第１円筒部１６ａ間に連結突起部１９が位置した際に、第１ピン１４が挿入する第１取付孔１９ａが形成されている。
【００２４】
この場合、連結突起部１９の両端部には、図３（ｂ）および図４（ｂ）に示すように、一対の第１円筒部１６ａの上部側を覆う庇部１９ｂがそれぞれ設けられている。これにより、一対の第１円筒部１６ａは、固定部材１８が装着凹部２０に装着されて、装着凹部２０内から突出して連結突起部１９の両端部に配置された際に、各庇部１９ｂによって覆われて上方から見えないように構成されている。
【００２５】
また、このバンド取付駒１２には、図５および図６に示すように、バンド本体１３の先端部が挿入するバンド挿入孔２１が設けられている。このバンド挿入孔２１は、連結突起部１９と反対側に位置するバンド取付駒１２の端面から装着凹部２０の第１装着部２０ａ内に貫通して設けられている。これにより、バンド挿入孔２１は、バンド本体１３の先端部が挿入して装着凹部２０の第１装着部２０ａ内に突出した際に、一対の第２円筒部１７ａ間に配置されるように構成されている。
【００２６】
ところで、バンド本体１３の先端部には、図５および図６に示すように、第２挿通部１７である一対の第２円筒部１７ａ間に位置して第２ピン１５に取り付けられるバンド連結部２３が突出して設けられている。このバンド連結部２３は、バンド本体１３の長手方向と直交する幅方向の長さよりも短く形成されて、バンド挿入孔２１に挿入するように形成されている。このバンド連結部２３には、第２ピン１５が挿入する第２取付孔２３ａが、バンド連結部２３の両側に配置された一対の第２円筒部１７ａに対応して設けられている。
【００２７】
一方、腕時計ケース１のケース本体２に設けられたケース側取付部１０の一対の突起部１０ａには、図３（ａ）に示すように、第１挿通部１６である一対の第１円筒部１６ａの両側に位置して第１ピン１４の両端部がそれぞれ挿入して取り付けられる連結孔１０ｂが設けられている。また、第１ピン１４および第２ピン１５は、それぞればね棒である。このばね棒は、図示しないが、金属パイプ内にコイルばねが配置され、このコイルばねのばね力によって金属パイプ内の両端部から各突起部がそれぞれ出没可能に突出するように構成されている。
【００２８】
これにより、第１ピン１４は、図３（ａ）に示すように、バンド取付駒１２の連結突起部１９の第１取付孔１９ａと一対の第１円筒部１６ａとに挿入され、この挿入された第１ピン１４の両端部がケース本体２のケース側取付部１０における一対の突起部１０ａの各連結孔１０ｂに挿入することにより、バンド取付駒１２の連結突起部１９をケース本体２のケース側取付部１０に取り付けるように構成されている。
【００２９】
また、第２ピン１５は、図６（ａ）〜図６（ｃ）に示すように、バンド本体１３のバンド連結部２３の第２取付孔２３ａに挿入され、この状態でバンド連結部２３がバンド取付駒１２のバンド挿入孔２１を通してバンド取付駒１２の装着凹部２０に突出して固定部材１８の一対の第２円筒部１７ａ間に配置された際に、第２ピン１５の両端部が一対の第２円筒部１７ａにそれぞれ挿入することにより、バンド本体１３のバンド連結部２３をバンド取付駒１２内の固定部材１８に取り付けるように構成されている。
【００３０】
次に、このような腕時計ケース１に時計バンド１１を取り付ける場合について説明する。
この場合には、まず、バンド本体１３にバンド取付駒１２を取り付ける。このときには、図５（ａ）および図５（ｂ）に示すように、バンド取付駒１２の装着凹部２０に固定部材１８を装着する。
【００３１】
すなわち、固定部材１８の本体板部１８ａと第２挿通部１７である一対の第２円筒部１７ａとを装着凹部２０の第１装着部２０ａ内に配置すると共に、固定部材１８の第１挿通部１６である一対の第１円筒部１６ａの各アーム部１６ｂを装着凹部２０の第２装着部２０ｂ内に配置する。
【００３２】
すると、図３（ｂ）および図４（ｂ）に示すように、第１挿通部１６である一対の第１円筒部１６ａがバンド取付駒１２の連結突起部１９の両端部に位置して連結突起部１９の第１取付孔１９ａに対応する。また、第２挿通部１７である一対の第２円筒部１７ａ間がバンド取付駒１２のバンド挿入孔２１の両側部に対応する。
【００３３】
この状態で、バンド本体１３の先端部に設けられたバンド連結部２３をバンド取付駒１２および固定部材１８に取り付ける。このときには、まず、バンド本体１３のバンド連結部２３の第２取付孔２３ａに第２ピン１５を挿入する。この第２ピン１５が取り付けられたバンド連結部２３をバンド取付駒１２のバンド挿入孔２１に挿入させて装着凹部２０の第１装着部２０ａ内に突出させる。
【００３４】
すると、装着凹部２０の第１装着部２０ａ内に突出したバンド本体１３のバンド連結部２３が、装着凹部２０の第１装着部２０ａ内に配置された第２挿通部１７である一対の第２円筒部１７ａ間に配置される。このときには、第２ピン１５の両端部が突出して一対の第２円筒部１７ａに挿入する。
【００３５】
これにより、バンド取付駒１２のバンド挿入孔２１に挿入されたバンド本体１３のバンド連結部２３が第２ピン１５によってバンド取付駒１２の固定部材１８に連結される。この場合には、バンド連結部２３がバンド取付駒１２のバンド挿入孔２１に挿入されているため、このバンド連結部２３に取り付けられた第２ピン１５によって固定部材１８がバンド取付駒１２の装着凹部２０内に固定される。
【００３６】
そして、バンド本体１３が連結されたバンド取付駒１２を腕時計ケース１に取り付ける。このときには、まず、バンド取付駒１２の連結突起部１９の両側に配置された第１挿通部１６である一対の第１円筒部１６ａと連結突起部１９の第１取付孔１９ａとに第１ピン１４を挿入する。これにより、第１挿通部１６である一対の第１円筒部１６ａが第１ピン１４によってバンド取付駒１２の連結突起部１９に取り付けられる。このため、固定部材１８がバンド取付駒１２に固定される。これにより、時計バンド１１が構成される。
【００３７】
この状態で、バンド取付駒１２の連結突起部１９を腕時計ケース１のケース本体２に設けられたケース側取付部１０の一対の突起部１０ａ間に配置する。すると、バンド取付駒１２の連結突起部１９の両端部に位置する第１挿通部１６である一対の第１円筒部１６ａが、ケース本体２の一対の突起部１０ａに設けられた連結孔１０ｂに対応する。
【００３８】
このときには、一対の第１円筒部１６ａから第１ピン１４の両端部が突出し、この突出した第１ピン１４の両端部がケース側取付部１０の一対の突起部１０ａの各連結孔１０ｂにそれぞれ挿入する。これにより、バンド取付駒１２が第１ピン１４によってケース本体２のケース側取付部１０に取り付けられ、時計バンド１１が腕時計ケース１に取り付けられる。
【００３９】
このように、この時計バンド１１によれば、合成樹脂製のバンド取付駒１２と、このバンド取付駒１２に連結されるバンド本体１３と、バンド取付駒１２を腕時計ケース１に固定するための第１ピン１４と、バンド本体１３をバンド取付駒１２に取り付けるための第２ピン１５と、バンド取付駒１２に設けられて第１ピン１４および第２ピン１５がそれぞれ挿通する第１挿通部１６および第２挿通部１７が形成された金属製の固定部材１８とを備えているので、耐衝撃性を確保し、且つ腕時計ケース１に対してバンド本体１３を強固に取り付けることができる。
【００４０】
すなわち、この時計バンド１１では、腕時計ケース１に取り付けられるバンド取付駒１２を軟質の合成樹脂によって形成することにより、落下などの衝撃が腕時計ケース１の裏蓋５側に加わる際に、軟質の合成樹脂からなるバンド取付駒１２によって衝撃を緩和することができるので、腕時計ケース１の裏蓋５側が落下などの衝撃を受けないようにすることができ、これにより腕時計ケース１に対する耐衝撃性を確保することができる。
【００４１】
また、この時計バンド１１では、バンド取付駒１２を軟質の合成樹脂によって形成しても、バンド取付駒１２に設けられた金属製の固定部材１８に腕時計ケース１を第１ピン１４によって強固に連結することができると共に、金属製の固定部材１８にバンド本体１３を第２ピン１５によって強固に連結することができるので、腕時計ケース１に対してバンド本体１３を強固に取り付けることができる。
【００４２】
このため、この時計バンド１１では、一般的な時計バンドと同様に、腕時計ケース１に取り付けることができるので、時計バンドとして互換性があり、これによりバリエーションの展開が広がり、各種の時計バンドを使用者の好みに応じて自由に選んで良好に使用することができる。
【００４３】
この場合、固定部材１８はステンレスなどの金属板からなる本体板部１８ａを有し、第１挿通部１６は本体板部１８ａの一側に一体に形成され、且つ第１ピン１４が挿入する一対の第１円筒部１６ａであり、第２挿通部１７は本体板部１８ａの他側に一体に形成され、且つ第２ピン１５が挿入する一対の第２円筒部１７ａであることにより、固定部材１８の構造が簡単で、固定部材１８を容易に製作することができる。
【００４４】
すなわち、第１挿通部１６は、本体板部１８ａの一側部からそれぞれ延出された一対のアーム部１６ｂを円筒状に折り曲げることにより、一対の第１円筒部１６ａを形成した構成であり、第２挿通部１７は、本体板部１８ａの他側部からそれぞれ延出された一対のアーム部１７ｂを円筒状に折り曲げることにより、一対の第２円筒部１７ａを形成した構成であることにより、第１挿通部１６および第２挿通部１７を備えていても、固定部材１８を金属板で簡単に製作することができる。
【００４５】
また、この時計バンド１１では、バンド取付駒１２に、固定部材１８を着脱可能に装着するための装着凹部２０が設けられているので、固定部材１８をバンド取付駒１２内に簡単に配置することができる。この場合、装着凹部２０は、固定部材１８の本体板部１８ａと第２挿通部１７とが装着する第１装着部２０ａと、固定部材１８の第１挿通部１６である一対の第１円筒部１６ａの各アーム部１６ｂが装着する第２装着部２０ｂとを有し、これらがバンド取付駒１２の下側に開放されているので、固定部材１８をバンド取付駒１２の下側から装着凹部２０に簡単に挿入するだけで容易に配置することができる。
【００４６】
また、この時計バンド１１では、バンド取付駒１２の端部に、固定部材１８を装着凹部２０に装着した際に、第１挿通部１６における一対の第１円筒部１６ａ間に配置され、この状態で第１ピン１４が挿入して取り付けられる連結突起部１９が形成されているので、第１ピン１４によって連結突起部１９を一対の第１円筒部１６ａ間に確実に且つ強固に取り付けることができる。
【００４７】
この場合、連結突起部１９には、第１ピン１４が挿入する第１取付孔１９ａが形成されているので、一対の第１円筒部１６ａと連結突起部１９の第１取付孔１９ａとを対応させ、この状態で一対の第１円筒部１６ａと連結突起部１９の第１取付孔１９ａとに第１ピン１４を挿入させるだけで、連結突起部１９を一対の第１円筒部１６ａ間に確実に且つ強固に取り付けることができる。
【００４８】
また、この時計バンド１１では、バンド取付駒１２にバンド本体１３の先端部を挿入させて装着凹部２０内に突出させるためのバンド挿入孔２１が形成されていることにより、バンド取付駒１２のバンド挿入孔２１にバンド本体１３の先端部を挿入させて装着凹部２０内に突出させることができ、この状態でバンド本体１３の先端部を第２ピン１５によって第２挿通部１７である一対の第２円筒部１７ａに取り付けることができるので、バンド本体１３を確実に且つ強固にバンド取付駒１２に取り付けることができる。
【００４９】
この場合、バンド本体１３の先端部には、第２挿通部１７である一対の第２円筒部１７ａ間に配置され、この状態で第２ピン１５が挿入して取り付けられるバンド連結部２３が設けられていることにより、このバンド連結部２３をバンド取付駒１２のバンド挿入孔２１に挿入させて装着凹部２０内に突出させた状態で、第２ピン１５によってバンド連結部２３を固定部材１８の一対の第２円筒部１７ａに取り付けることができ、これによりバンド本体１３をバンド取付駒１２に確実に且つ強固に取り付けることができる。
【００５０】
さらに、腕時計ケース１のケース本体２には、第１挿通部１６である一対の第１円筒部１６ａの両側に配置され、この状態で第１ピン１４の両端部がそれぞれ挿入して取り付けられるケース側取付部１０が設けられていることにより、バンド取付駒１２の連結突起部１９および固定部材１８の一対の第１円筒部１６ａを第１ピン１４によってケース側取付部１０に確実に且つ強固に取り付けることができ、これによりバンド本体１３を確実に且つ強固に腕時計ケース１に取り付けることができる。
【００５１】
この場合、ケース側取付部１０は、ケース本体２の側面から斜め下側に向けて突出する一対の突起部１０ａを有し、この一対の突起部１０ａの対向面に第１ピン１４の両端部が挿入する連結孔１０ｂがそれぞれ設けられた構成であることにより、一対の突起部１０ａ間にバンド取付駒１２の連結突起部１９および固定部材１８の一対の第１円筒部１６ａが配置された状態で、連結突起部１９および一対の第１円筒部１６ａを第１ピン１４によってケース側取付部１０に確実に且つ強固に取り付けることができる。
【００５２】
さらに、この腕時計によれば、腕時計ケース１に取り付けられるバンド取付駒１２を軟質の合成樹脂によって形成することにより、落下などの衝撃が腕時計ケース１の裏蓋５側に加わる際に、軟質の合成樹脂からなるバンド取付駒１２によって衝撃を緩和することができるので、腕時計ケース１の裏蓋５側が落下などの衝撃を受けないようにすることができ、これにより腕時計ケース１に対する耐衝撃性を確保することができる。
【００５３】
また、この腕時計では、バンド取付駒１２を軟質の合成樹脂によって形成しても、バンド取付駒１２に設けられた金属製の固定部材１８に腕時計ケース１を第１ピン１４によって強固に連結することができると共に、金属製の固定部材１８にバンド本体１３を第２ピン１５によって強固に連結することができるので、腕時計ケース１に対してバンド本体１３を強固に取り付けることができる。
【００５４】
なお、上述した実施形態では、第１挿通部１６および第２挿通部１７が形成された固定部材１８をバンド取付駒１２の装着凹部２０内に着脱可能に装着するように構成した場合について述べたが、これに限らず、例えば第１挿通部１６および第２挿通部１７が形成された金属製の固定部材１８を合成樹脂製のバンド取付駒１２にインサート成形によって一体に形成した構成であっても良い。
【００５５】
また、上述した実施形態では、腕時計に用いた時計バンド１１に適用した場合について述べたが、必ずしも腕時計などの時計に用いる時計バンド１１に適用する必要はなく、例えば鞄やバックなどに用いられるバンドにも適用することができる。
【００５６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５７】
（付記）
請求項１に記載の発明は、合成樹脂製のバンド取付部材と、このバンド取付部材に連結されるバンド本体と、前記バンド取付部材をケースに固定するための第１のピンと、前記バンド本体を前記バンド取付部材に取り付けるための第２のピンと、前記バンド取付部材に設けられ、前記第１のピンおよび前記第２のピンがそれぞれ挿通する第１の挿通部および第２の挿通部が形成された金属製の固定部材とを備えていることを特徴とするバンドである。
【００５８】
請求項２に記載の発明は、請求項１に記載のバンドにおいて、前記固定部材は本体部を有し、前記第１の挿通部は前記本体部の一側に一体に形成されて前記第１のピンが挿入する一対の第１円筒部であり、前記第２の挿通部は前記本体部の他側に一体に形成されて前記第２のピンが挿入する一対の第２円筒部であることを特徴とするバンドである。
【００５９】
請求項３に記載の発明は、請求項１または請求項２に記載のバンドにおいて、前記バンド取付部材には、前記固定部材が着脱可能に装着する装着凹部が設けられていることを特徴とするバンドである。
【００６０】
請求項４に記載の発明は、請求項１〜請求項３のいずれかに記載のバンドにおいて、前記バンド取付部材には、前記固定部材が前記装着凹部に装着された際に、前記第１の挿通部である前記一対の第１円筒部間に配置され、この状態で前記第１のピンが挿入して取り付けられる連結突起部と、前記バンド本体の先端部を挿入させて前記装着凹部内に突出させるためのバンド挿入孔とが形成されていることを特徴とするバンドである。
【００６１】
請求項５に記載の発明は、請求項１〜請求項４のいずれかに記載のバンドにおいて、前記バンド本体の前記先端部には、前記バンド取付部材の前記バンド挿入孔から挿入して前記装着凹部内に突出した際に、前記第２の挿通部である前記一対の第２円筒部間に配置され、この状態で前記第２のピンが挿入して取り付けられるバンド連結部が設けられていることを特徴とするバンドである。
【００６２】
請求項６に記載の発明は、請求項１〜請求項５のいずれかに記載のバンドにおいて、前記ケースには、前記第１の挿通部である前記一対の第１円筒部の両側に配置され、この状態で前記第１のピンの両端部がそれぞれ挿入して取り付けられるケース側取付部が設けられていることを特徴とするバンドである。
【００６３】
請求項７に記載の発明は、請求項１に記載されたバンドを備えたことを特徴とする腕時計である。
【符号の説明】
【００６４】
１  腕時計ケース
２  ケース本体
３  ベゼル
１０  ケース側取付部
１０ａ  一対の突起部
１０ｂ  連結孔
１１  時計バンド
１２  バンド取付駒
１３  バンド本体
１４  第１ピン
１５  第２ピン
１６  第１挿通部
１６ａ  一対の第１円筒部
１７  第２挿通部
１７ａ  一対の第２円筒部
１８  固定部材
１８ａ  本体板部
１９  連結突起部
１９ａ  第１取付孔
２０  装着凹部
２１  バンド挿入孔
２３  バンド連結部
２３ａ  第２取付孔
【図１】
0005831846.tif 000002
【図２】
0005831846.tif 000003
【図３】
0005831846.tif 000004
【図４】
0005831846.tif 000005
【図５】
0005831846.tif 000006
【図６】
0005831846.tif 000007